(57)【要約】【課題】換気装置から排気される熱気や水蒸気がショートパスして収納部内に流入するのを防止しながら通気経路を十分に確保して収納部内全体の温度上昇を効果的に抑制すると共に収納部内に多量の湿気がこもるのを防止する。【解決手段】前面が開口部１となり且つ内部が収納部２となった収納装置である。開口部１を閉塞する扉６と、収納部２の上部に収納部２内を換気するための換気装置８を設ける。収納部２の底板４の下方に外部と連通する空間５を設けると共に底板４を貫通する通気孔３５を設ける。【選択図】図１
2008036224.tif 000002
【特許請求の範囲】
【請求項１】
前面が開口部となり且つ内部が収納部となった収納装置において、開口部を閉塞する扉と、収納部の上部に収納部内を換気するための換気装置を設け、収納部の底板の下方に外部と連通する空間を設けると共に底板を貫通する通気孔を設けて成ることを特徴とする収納装置。
【請求項２】
通気孔の下方に水受けトレイを設けて成ることを特徴とする請求項１記載の収納装置。
【請求項３】
底板を貫通する開口を設け、この開口に着脱可能な板体に通気孔を設けて成ることを特徴とする請求項１又は請求項２記載の収納装置。
【請求項４】
底板を開口部から引き出し自在として成ることを特徴とする請求項１乃至請求項３のいずれか一項に記載の収納装置。
【発明の詳細な説明】
【技術分野】
【０００１】
本発明は、収納部内の温度上昇を緩和することができる収納装置に関するものである。
【背景技術】
【０００２】
従来から前面が開口部となり且つ内部が収納部となった収納装置において、開口部を閉塞する扉と、収納部の上部に収納部内を換気するための換気装置を設けた収納装置が特許文献１により知られている。
【０００３】
この特許文献１に示された収納装置は、内部に炊飯器を収納できるようになっており、炊飯器から出る水蒸気を収納部の上部に設けた換気装置で吸込んで収納装置の前面上端部に設けた排気口から外部に排気するようになっている。そして、収納部の壁部の内側に外気と連通する隙間を介して断熱効果の高い保温材を配置し、隙間に収納装置の上端部に上記排気口に隣接して設けた給気口から吸込んだ外部の空気を隙間に流入させ、該隙間に流入した空気を保温材の上部に設けた孔から収納部内に配置した炊飯器のやや上方位置に流入させ、炊飯器から出た高温の水蒸気と一緒に上記隙間から流入した空気を換気装置で外部に排気するようにしている。
【０００４】
また、上記の従来例にあっては、換気装置のフードに付着した水滴を壁の内面を構成する保温材の内面に取付けたタンクに収容するようにしている。
【０００５】
しかしながら、上記のような従来例においては、隙間の空気を保温材の上部に設けた孔から収納部内の炊飯器のやや上方位置に流入させ、そのまま換気装置のフードに流入させるので、収納部内の下部の温度が昇温するのを効果的に抑制することができないという問題がある。
【０００６】
しかも、上記従来例においては、給気口が換気装置の排気口に隣接して設けてあるため、排気口から排出された水蒸気を多量に含んだ高温の排気が給気口にショートパスして吸込まれて隙間に流れ込み、この水蒸気を多量に含んだ高温の空気が保温材の上部に設けた孔から収納部内の炊飯器のやや上方に流入することになって、該流入した空気による収納部内における温度上昇を抑制する効果が低下し、更に、収納部内に多量の湿気が滞留することになり、収納部内において多量の水滴が発生するという問題がある。
【０００７】
また、上記従来例は換気装置のフードに付着した水滴のみをタンクに収容するようにしただけであるため、収納部内に滞留した水蒸気が水滴となって底板に流れ込むとそのまま底板に溜まってしまい、底板及び底板に載置する電気器具等の脚部を汚してしまうという問題がある。
【特許文献１】実公平７−２２１０５号公報
【発明の開示】
【発明が解決しようとする課題】
【０００８】
本発明は上記の従来の問題点に鑑みて発明したものであって、扉を閉塞した状態でも、換気装置から排気される熱気や水蒸気がショートパスして収納部内に流入するのを防止しながら通気経路を十分に確保して収納部内全体の温度上昇を効果的に抑制すると共に収納部内に多量の湿気がこもるのを防止でき、また、収納部内で発生した水滴が底板に溜まらないように処理でき、また、通気孔部分の掃除がしやすい収納装置を提供することを課題とするものである。
【課題を解決するための手段】
【０００９】
上記課題を解決するために本発明に係る収納装置は、前面が開口部１となり且つ内部が収納部２となった収納装置において、開口部１を閉塞する扉６と、収納部２の上部に収納部２内を換気するための換気装置８を設け、収納部２の底板４の下方に外部と連通する空間５を設けると共に底板４を貫通する通気孔３５を設けて成ることを特徴とするものである。
【００１０】
このような構成とすることで、収納部２内に収納した電気器具７を扉６を閉じた状態で通電使用して熱気や水蒸気が発生したとしても、収納部２の上部に設けた換気装置８を運転することで、底板４の下方に設けた外部と連通する空間５から底板４を貫通する通気孔３５を介して収納部２内に空気が流入し、収納部２の下から上にかけて空気が流れて収納部２内の温度上昇を抑制しながら上部に設けた換気装置８により排気されることになる。また、収納部２の上部に収納部２内を換気するための換気装置８を設け、収納部２の底板４の下方に外部と連通する空間を設けると共に底板４を貫通する通気孔３５を設けるので、換気装置８から排気される高温の熱気や水蒸気が底板４下方の空間５にショートパスして流入することがなく、底板４を貫通する通気孔３５から収納部２内に流入する空気は比較的低温で且つ水蒸気を含まないものであって、収納部２内の温度上昇を効果的に抑制すると共に、収納部２内に多量の湿気がこもるのを防止でき、また、底板４に通気孔３５を貫通して設けたので、収納部２内に収納されて運転する電気器具７の下側から気流を当てることができて、電気器具７を冷却して電気器具７の過度の加熱を防止できる。
【００１１】
また、通気孔３５の下部に水受けトレイ３６を設けることが好ましい。
【００１２】
このような構成とすることで、収納部２内において発生した水滴は底板４に流れ、底板４から底板４を通気孔３５を経て水受けトレイ３６で受けることができ、また、使用時に不用意にこぼした水についても水受けトレイ３６で受けることができ、これにより、底板４に水が溜まらないようにできる。
【００１３】
また、底板４を貫通する開口３７を設け、この開口３７に着脱可能な板体３８に通気孔３５を設けることが好ましい。
【００１４】
このような構成とすることで、通気孔３５を設けた板体３８を外すことで、簡単に通気孔３５が掃除でき、また、水受けトレイ３６がある場合には板体３８を外して掃除することができて、水受けトレイ３６の掃除がし易くなる。
【００１５】
また、底板４を開口部１から引き出し自在とすることが好ましい。
【００１６】
このような構成とすることで、底板４に載置した電気器具７を開口部１から引き出すことが可能となる。
【発明の効果】
【００１７】
本発明の請求項１記載の発明は、収納部の上部に収納部内を換気するための換気装置を設け、収納部の底板の下方に外部と連通する空間を設けると共に底板を貫通する通気孔を設けてあるので、扉を閉塞した状態で電気器具を通電使用しても、換気装置から排気される熱気や水蒸気がショートパスして収納部内に流入するのを防止しながら通気経路を十分に確保して収納部内全体の温度上昇を効果的に抑制すると共に収納部内に多量の湿気がこもるのを防止でき、また、収納部内に収納されて運転する電気器具の下側から気流を当てることができて、電気器具を冷却して電気器具の過度の加熱を防止できるものであり、これらの理由により収納部内に電気器具を収納した状態で安全に使用できる。
【００１８】
請求項２記載の発明にあっては、上記請求項１記載の効果に加えて、収納部内で発生した水滴を通気のための通気孔を利用して水受けトレイで受けると共に、使用時に不用意にこぼした水についても水受けトレイで受けることができて底板に水が溜まらないようにでき、この結果、底板に水が溜まって底板や底板上に載置する電気器具の脚部が汚れないようにできる。
【００１９】
請求項３記載の発明にあっては、上記請求項１又は請求項２記載の発明の効果に加えて、通気孔の掃除が簡単にでき、また、水受けトレイを設ける場合は水受けトレイの掃除がし易くなる。
【００２０】
請求項４記載の発明にあっては、上記請求項１乃至請求項３のいずれかに記載の効果に加えて、底板に載置した電気器具を開口部から引き出して使用することができて、使い勝手が良くなる。
【発明を実施するための最良の形態】
【００２１】
以下、本発明を添付図面に示す実施形態に基いて説明する。
【００２２】
収納キャビネットＡの主体を構成する収納体３は前面が開口した箱体により構成してあり、添付図面に示す実施形態では図６乃至図７に示すように、左右側板９、上面板１０、下面板１１、背板３０を箱形状に組み合わせて固定することで前面が開口部１となった収納体３が構成してある。この収納体３内には収納用空間が形成してあって収納部２となっており、収納部２の底を構成する底板４が底板スライド機構１２を介して前面の開口部１から前方に引き出し自在となっている。
【００２３】
底板スライド機構１２は図８に示すように、収納部２の下部両側、つまり、左右側板９の内面の下面板１１よりやや上方位置に固定された前後に長い固定用レール部１３と、固定用レール部１３に対して前後方向にスライド自在に取り付けられた中間レール部１４と、中間レール部１４に対して前後方向にスライド自在に取り付けられた底板側レール部１５とで構成してあり、左右の底板側レール部１５がそれぞれ底板４の左右両側端面に固定してある。底板４を手前に引くと、底板側レール部１５が中間レール部１４に対して前方にスライドすると共に中間レール部１４が固定用レール部１３に対して前方にスライドすることで、底板４を開口部１から前方に引き出すことができ、また、底板４を押し込むことで、底板側レール部１５が中間レール部１４に対して後方にスライドして重なると共に中間レール部１４が固定用レール部１３に対して後方にスライドして重なることで、底板４を収納部２内に位置させることができるようになっている。もちろん、底板スライド機構１２は上記の例にのみ限定されず、他の種々のスライドレール機構を採用できる。
【００２４】
底板４は外周部が全周にわたって上方に突出した立ち上がり縁部４ａとなっている。この底板４には上下方向に貫通するように通気孔３５が設けてある。添付図面に示す実施形態においては、図１、図２、図３に示すように、底板４の後部に上下に貫通する開口３７を設け、この開口３７に板体３８を着脱自在に取付けてあり、該板体３８に多数の通気孔３５を上下に貫通して形成してある。開口３７の縁にはＬ状をした受け片３７ａが設けてあり、板体３８を開口３７に嵌め込んだ際に受け片３７ａに載置するようになっている。
【００２５】
図１、図２、図３に示すように、底板４には開口３７の下方に水受けトレイ３６が吊設してある。水受けトレイ３６の側片の上部には連通口３９が形成してあり、後述の底板４の下方の空間５と収納部２内とが、上記連通口３９、水受けトレイ３６内の上方空間、通気孔３５を介して連通している。
【００２６】
収納体３には収納部２の開口部１を開閉自在とする扉６が設けてある。
【００２７】
底板４の下方には空間５が設けてあるが、添付図面に示す実施形態では、図６、図７に示すように、収納体３には底板４を収納部２内に収納した状態で底板４と下面板１１との間に空間５が形成してあって、該空間５を扉収納部５ａとしてある。この底板４の下位置の空間５である扉収納部５ａには扉スライド機構１６を介して扉６が前方に引き出し自在に収納してある。添付図面に示す実施形態においては、図８、図９に示すように、扉スライド機構１６は、左右の側板９の内面の下端部（つまり、上記固定用レール部１３の直ぐ下位置）に固定した扉スライド用レール１７と、左右両端部に左右の扉スライド用レール１７に走行自在に嵌め込まれるころ１８を有し且つ扉６の後端部が回動自在に取り付けられた左右方向に細長いスライド部材１９とで構成してある。
【００２８】
図９に示すように、左右方向に細長いスライド部材１９には少なくとも左右両端部を含む複数箇所に少なくとも前方及び下方に開口した凹部２０が形成してあり、該凹部２０内に軸芯が左右方向となった軸部２１が架設してあり、扉６の後端部に設けた軸受け部２２を軸部２１に回動自在に嵌め込んである。
【００２９】
図１０に示すように扉６の後端部には回動支持部２３が設けてあり、回動支持部２３には扉６の裏面側に突出する突部２４が突設してあって該突部２４に孔２５を設けることで軸受け部２２が構成してあり、また、回動支持部２３の突部２４より後方位置に扉６の裏面側に露出する（図１０においては扉６の裏面より後方に突出した状態で露出する）当り部２６が設けてある。
【００３０】
軸受け部２２をスライド部材１９の軸部２１に回動自在に軸支することで扉６がスライド部材１９に対して回動自在に取り付けられるのであるが、扉６を水平状態となるように横向き姿勢にした状態で、図１０（ａ）に示すように当り部２６がスライド部材１９の下面に当って扉６が水平な横向き姿勢で保持されるようになっている。したがって、このように扉６を水平な横向き姿勢に保持した状態で扉６を押すことでスライド部材１９を扉スライド用レール１７に対して後方に移動させて扉６を底板４の直下において底板４に重複するようにして扉収納部５ａに収納することができ、また、収納した状態の扉６を手前に引くことで、スライド部材１９を扉スライド用レール１７に対して前方に移動させて図１０（ａ）のように扉６を収納体３の前方に飛び出すように引き出すことができる。このように扉６を引き出した状態で図１０（ｂ）のように扉６を回動させて起立させることで、図６、図１に示すように収納体３の前面の開口部１を閉じて底板４を含めて収納部２を覆うことができる。扉６を起立させて収納部２を閉じた場合、扉６の起立状態を保持して閉状態を維持するための手段が設けてある。扉６の閉状態を維持する手段としては例えば磁石、あるいは、ローラーキャッチ等従来から扉６の閉状態を維持する周知の技術を適用することができる。
【００３１】
扉６を閉じた状態では図１、図５に示すように扉６の下端と収納体３の開口部１の下端（下面板１１の前端）との間には隙間４０が形成されるようになっており、この隙間４０を介して底板４の下方の空間５と外部空間とが連通している。
【００３２】
扉６を開く場合は、扉６を上記とは逆に回動して水平な横向き姿勢にして扉６を後方に押し込むことにより扉収納部５ａ内に収納することができる。
【００３３】
収納部２内にはコンセント２７が設けてある。添付図面に示す実施形態では背板３０にコンセント２７が設けてあるが、背板３０以外の部位に設けてもよい。上記コンセント２７は図示を省略しているが建物に配線してある電力線に接続される。
【００３４】
収納体３の上部には収納部２内を換気するための換気装置８が設けてある。収納体３の前面の上端部には換気装置８の操作を行うための操作部２８及び換気出口２９が設けてある。なお、換気出口２９は前面以外の他の部分に設けてもよいが、底板４の下方の空間５が外部空間と連通している部分、つまり、底板４の下方の空間５に外部空間の空気が入ってくる部分とは離した位置に換気出口２９を設け、換気出口２９から出る高温の空気や水蒸気がショートパスして底板４の下方の空間５に流入しないようにする。
【００３５】
上記の構成の本発明の収納キャビネットＡは、底板４に収納物として電気器具７を載置して収納部２内に収納する場合、該電気器具７から導出したコードの先端のプラグを収納部２に設けたコンセント２７に接続して電気器具７に電力を供給することで、収納部２内に電気器具７を収納した状態での電気器具７への電力供給使用が可能となるようになっている。
【００３６】
上記のような構成の本発明の収納キャビネットＡは、開口部１を開にすることで、底板４を引き出して底板４上に収納物を載せ、底板４を押し込むことで収納部２内に収納物を収納することができる。また、底板４を収納部２内に収納した状態で図１のように扉６で開口部１を閉じることで、収納部２及び収納物が外部に露出しないようにできる。
【００３７】
ここで、開口部１を開にして扉６を扉収納部５ａに収納した状態では、開口部１から収納部２内が見えるが、底板４を引き出していない状態では底板４により扉６が隠されて外部に露出せず、外観がよい。また、扉６を収納した状態、あるいは扉６を水平姿勢のまま前方に引き出した状態で、図２に示すように、底板４を引き出して底板４上に収納物を載置したり、あるいは、底板４上に載置している収納物を取り出したり、あるいは、底板４上に載置している収納物が容器や電気器具７の場合には容器内への内容物の出し入れや電気器具の操作、保守、点検、あるいは電気器具７が炊飯器等の場合には蓋の開閉等を行うことができる。このように扉６を収納した状態、あるいは水平姿勢のまま引き出した状態で、底板４をスライドさせて出し入れする際、底板４及び底板４上に載せる収納物が扉６に当たったりせず、底板４のスライドがスムーズにでき、また、底板４、収納物、扉６が衝突により傷ついたりしない。
【００３８】
ところで、本発明においては、コンセント２７を設けてあるので、引き出し自在な底板４に収納物として電気器具７を載置して収納部２内に収納する場合、該電気器具７から導出したコードの先端のプラグを収納部２に設けたコンセント２７に接続して電気器具７に電力を供給する。
【００３９】
ここで、底板４に載置する収納物が炊飯器や湯沸し用電気ポット等の水蒸気や熱気が発生する電気器具７の場合、扉６を閉じた状態で電気器具７を使用しても、換気装置８を運転することで収納部２内において炊飯器や湯沸し用電気ポット、コーヒーメーカ等から発生する水蒸気や熱気を外部に排気して収納部２内に水蒸気や熱気がこもらないようにすることができる。
【００４０】
すなわち、換気装置８を運転すると、収納部２内の熱気や水蒸気を含んだ空気が換気装置８を介して収納体３の前面上部に設けた換気出口２９から外部に排気されるが、この際、閉塞状態において扉６の下端の下方に形成される隙間４０を介して、図１、図３（ａ）の矢印のように外部の空気が底板４の下方の空間５に流入し、更に、底板４下方の空間５から通気孔３５を介して収納部２の底部に供給され、収納部２内を下から上に上昇して収納部２内における温度上昇を抑制しながら、電気器具７から発生する熱気や水蒸気と混じって、熱気や水蒸気の温度を低下させて換気出口２９から外部に排気される。この場合、底板４に通気孔３５を貫通して設けてあるので、収納部２内に収納されて運転する電気器具７の下側から気流を当てることができて、電気器具７を冷却して電気器具７の過度の加熱を防止できる。したがって、収納部２内は下から上にかけて流れる空気により冷やされて収納部２内の全体において温度上昇が抑制されることになる。また、収納部２の上部に収納部２内を換気するための換気装置８を設け、収納部２の底板４の下方に外部と連通する空間５を設けると共に底板４を貫通する通気孔３５を設けるので、換気装置８から排気される高温の熱気や水蒸気が底板４下方の空間にショートパスして流入せず、このため、通気孔３５から収納部２内に流入する空気は比較的低温で且つ水蒸気を含まないものであり、よりいっそう収納部２内の温度上昇を効果的に抑制することができ、また、収納部２内に多量の湿気がこもるのを防止できることになる。
【００４１】
このように本発明においては、収納部２内に多量の湿気がこもらないようにしたものであるが、収納部２内において炊飯器などの水蒸気が発生する電気器具７を使用すると、多量に発生した水蒸気のいくらかは水滴となって底板４上に流れ落ちる場合がある。
【００４２】
底板４に流れ落ちた水は底板４を貫通する通気孔３５から下方に流れ、通気孔３５の下方に配設された水受けトレイ３６に受けられ、底板４に水が溜まらないようになっている。また、使用時に不用意にこぼした水についても水受けトレイ３６で受けられ、底板４に水が溜まらないようになっている。
【００４３】
通気孔３５の掃除をする場合は、図３（ｃ）のように板体３８を取り外して板体３８を洗浄することで通気孔３５部分の掃除が簡単にできる。
【００４４】
また、水受けトレイ３６の掃除をする場合も、板体３８を取り外して底板４に設けた開口３７から水受けトレイ３６の掃除を行うことができる。なお、水受けトレイ３６を底板４に対して着脱自在に取付けてもよく、この場合は、水受けトレイ３６を取り外して掃除ができて水受けトレイ３６の掃除性が向上する。
【００４５】
このように板体３８を取り外して通気孔３５の掃除や水受けトレイ３６の掃除を行うに当って、底板４を開口部１から引き出し自在した状態で板体３８を取り外すことで、板体３８の取り外しが容易に行え、また、水受けトレイ３６の掃除が容易に行えることになる。
【００４６】
なお、収納部２の内面を鉄板のような金属板とすることで、収納部２内で高温の水蒸気が発生したり、熱気が発生しても、水蒸気による水や熱で収納部２内面が侵されず、また、安全性を高めることができる。
【００４７】
同じ理由で、底板４全体又は少なくとも底板４の上面部を鉄板のような金属製とすることで、水蒸気による水や熱で底板４が侵されず、また、安全性を高めることができる。
【００４８】
本発明の収納キャビネットＡにおいては、前述のように収納部２内にコンセント２７を設けているが、収納部２内に収納物として電気器具７を収納して上記コンセント２７から電力供給を受けて収納部２内で電気器具７を通電使用した場合の安全対策として図４の制御ブロック図に示すような安全装置が設けてある。
【００４９】
安全装置は、温度検知手段３１と、扉６の開閉を検知する扉開閉検知手段３２と、温度検知手段３１及び扉開閉検知手段３２からの検知情報が入力される制御部３３と、上記検知情報に基づいて制御部３３から出力される制御信号によるコンセント２７からの電力供給を遮断するための電力供給遮断手段３４を備えており、扉開閉検知手段３２により扉６の閉を検知した状態において温度検知手段３１により収納部２内の温度があらかじめ設定してある所定温度以上の温度を検知すると、電力供給遮断手段３４によりコンセント２７からの電力供給を遮断して電気器具７に電力が供給されないように制御されるようになっている。安全装置は、扉開閉検知手段３２により扉６の開を検知した状態においては、温度検知手段３１により収納部２内の温度があらかじめ設定してある所定温度以上の温度を検知しても、電力供給遮断手段３４によりコンセント２７からの電力供給の遮断をしないようになっている。
【００５０】
扉開閉検知手段３２としては例えば扉６に磁石３２ａを設けると共に収納体３側もしくは換気装置８に磁気検知スイッチ３２ｂを設けることで構成してある。
【００５１】
上記温度検知手段３１として図４に示す実施形態においては、収納部２内に収納した収納物である電気器具７の外表面温度や収納部２内温度を検知する赤外線センサ３１ａと、換気装置８の排気路に設けられた排気温度を検知する排気温度検知センサ３１ｂとがある。
【００５２】
上記実施形態においては、扉開閉検知手段３２により扉６の閉を検知した状態において、赤外線センサ３１ａにより電気器具７の外表面や収納部２内の異常温度（赤外線センサ３１ａで検知する予め設定したある設定温度を異常温度としてある）を検知すると、電力供給遮断手段３４によりコンセント２７からの電力供給を停止するようになっている。
【００５３】
また、上記赤外線センサ３１ａによる温度検知だけでなく、排気温度検知センサ３１ｂによっても排気温度を検知しており、扉開閉検知手段３２により扉６の閉を検知した状態において、排気温度検知センサ３１ｂが排気の異常温度を検出した場合も、電力供給遮断手段３４によりコンセント２７からの電力供給を停止するようになっている。したがって、仮に、赤外線センサ３１ａが故障した場合でも扉開閉検知手段３２により扉６の閉を検知した状態において排気温度が異常温度となると電力供給遮断手段３４によりコンセント２７からの電力供給を停止する。
【００５４】
上記のように扉開閉検知手段３２により扉６の閉を検知した状態において、赤外線センサ３１ａにより上記異常温度を検知することで電力供給遮断手段３４によりコンセント２７からの電力供給を停止するようになっているが、これに加え、扉開閉検知手段３２により扉６の閉を検知した状態において、上記異常温度よりも低い予め決められたある温度（換気装置運転温度）を赤外線センサ３１ａで検知すると、換気装置８を運転する（換気装置８のファンを運転する）ようになっており、これにより、収納部２内に水蒸気や熱気がこもって異常昇温するのを防止するようになっている。
【００５５】
なお、上記換気装置８の運転については、扉開閉検知手段３２により扉６の開を検知した状態においても、換気装置運転温度を赤外線センサ３１ａで検知すると、換気装置８を運転するようになっていてもよい。
【００５６】
上記の構成により扉６が閉じている状態で収納部２内に配置された炊飯器、湯沸し用電気ポット、コーヒーメーカ等の電気器具にコンセント２７から電力を供給して使用する場合であっても、収納部２内が異常昇温するのを防止し、仮に異常温度になったとしても、コンセント２７からの電力供給を遮断することで安全を確保することができる。したがって、扉６を閉じた状態で通電使用時に水蒸気、熱気等が出る炊飯器、湯沸し用電気ポット、コーヒーメーカ等電気器具の通電使用が可能となる。
【００５７】
一方、扉開閉検知手段３２により扉６の開を検知した状態においては、赤外線センサ３１ａが電気器具７の外表面又は収納部２内の異常温度を検知した場合、排気温度検知センサ３１ｂが排気の異常温度を検出した場合のいずれの場合も電力遮断手段３４によるコンセント２７からの電力供給の停止をしないようになっている。
【００５８】
これは、収納物である電気器具７が例えば炊飯器の場合、炊飯が終了した後、炊飯器は保温状態となるのであるが、この段階で扉６を開いて図２のように底板４を引き出して炊飯器の蓋を開けた場合、大量の水蒸気が放出され、収納部２内や電気器具７が異常でないにもかかわらず、赤外線センサ３１ａや排気温度検知センサ３１ｂが異常温度であると誤って検知してコンセント２７からの電力供給を停止すると、保温のための炊飯器への電力供給が停止されてしまうという問題がある。しかしながら本発明においては、上記のように扉６が開の状態では、赤外線センサ３１ａ、排気温度検知センサ３１ｂが異常温度を検出した場合のいずれの場合も電力供給遮断手段３４によるコンセント２７からの電力供給の停止を行わないので、扉６を開いて図２のように底板４を引き出して炊飯器の蓋を開けて大量の水蒸気が放出されても炊飯器への保温のための電力供給が停止されることはない。
【００５９】
なお、添付図面に示す実施形態においては、扉収納部５ａを収納部２の底を構成する引き出し自在な底板４の下位置に設けてあるので、底板４の引き出しに必要な底板スライド機構１２と、扉６の引き出しに必要な扉スライド機構１６とを収納部２の下部にまとめて配置できて、収納部２の左右両側や上に扉スライド機構１６を設けて底板４の収納位置とは離れた箇所に扉６を収納する場合に比べて、収納部２内の左右方向の有効使用寸法を大きく取れ、また、収納体３の上に扉６やレール部材に邪魔されることなく他の付属設備を配設することが可能となる。しかも扉６の開閉に当って横隣りに壁があっても扉６の開閉に支障がなく、また、横隣りに別の収納キャビネットが位置する場合、別のキャビネットに引き出しがあっても、扉６の開閉と横隣りの別のキャビネットの引き出しの出し入れ操作とが相互に干渉しあうことがなく、これにより扉６の開閉に当って配置位置に制約がなく、別の収納キャビネットとの組み合わせる場合においても扉６の開閉による制約がなくなる。また、収納部２の底板４の下位置に重ねるように扉６を収納するので、収納部２の底板４を引き出し自在にしたものにおいて、扉６収納、開閉に影響を受けることなく収納体３の上部に換気装置８を設けることが可能となる。
【００６０】
上記した実施形態では、収納体３の下端部に扉収納部５ａを設け、この扉収納部５ａに収納した扉６を手前に引き出して回動することで開口部１を閉じるようにした例を示しているが、本発明においては、扉６の取付け位置、扉６の開閉形態、扉収納部５ａの有無、その位置等については特に限定はなく、従来から公知の種々の扉６による開口部１の開閉の技術を適用できるのは勿論である。
【００６１】
いずれの実施形態の場合も、底板４の下方に設けられる空間５は外部と連通するように構成するものであり、この場合、収納体３の下部に底板４の下方に設けられる空間５と外部空間とを連通する隙間や孔を設けたり、扉６で開口部１を閉塞した場合に、扉６の下端部に孔を設けたりあるいは扉６の下方に隙間を設けて、上記空間５と外部空間とを連通するようにしてもよい。
【００６２】
本発明の収納装置を上記のように単一の収納キャビネットＡに形成する場合、この電気器具７を収納使用できる収納キャビネットＡを単独の状態で設置して使用することができるのは勿論であるが、電気器具７を収納使用できる本発明の収納装置を形成した単一の収納キャビネットＡを他の収納キャビネットＡ’と組み合わせてもよい。
【００６３】
図１１にはその一例を示している。本発明の収納装置を形成した単一の収納キャビネットＡの壁部９が前述のように３層構造となっていて、電気器具７を収納する収納部２内が高温になっても、外部に高温の熱が伝達しないと共に発煙発火しないので、収納部２内における高温の熱が組み合わせる他の収納キャビネットＡ’に伝わらず、このため、他の収納キャビネットＡ’として通常の可燃性材料よりなる板材で形成したものであっても、何ら問題なく組み合わせることができて、本収納装置の利便性、安全性が得られ、取扱い性に優れている。
【００６４】
また、収納装置を形成した単一の収納キャビネットＡの主体を構成する収納部２の壁部９（つまりキャビネットＡの壁部９）の最外層１２が木質系材料のような可燃性材料で形成してあるので、組み合わせる他の収納キャビネットＡ’を形成するための板材と同じ木質系材料のような可燃性材料を使用することで、組み合わせる収納キャビネットＡ、Ａ’の外観を統一することができる。
【図面の簡単な説明】
【００６５】
【図１】本発明の収納キャビネットにおいて底板上に収納物である電気器具を載置した状態で底板を収納して扉で開口部を閉じた状態の断面図である。
【図２】同上の扉を収納した状態で収納物である電気器具を載置した底板を手前に引き出した状態の断面図である。
【図３】（ａ）は同上の通気孔部分を示す拡大断面図であり、（ｂ）は通気孔部分を示す斜視図であり、（ｃ）は通気孔を設けた板体を外した状態の斜視図である。
【図４】本発明の安全装置の概略制御ブロック図である。
【図５】本発明の収納キャビネットの底板を収納して扉により開口部を閉じた状態の正面図である。
【図６】同上の収納キャビネットの底板、扉をそれぞれ収納した状態の正面図である。
【図７】同上の底板を収納して扉を引き出した状態の断面図である。
【図８】同上の収納キャビネットの要部拡大正面図である。
【図９】同上に用いる扉スライド機構の一部省略斜視図である。
【図１０】（ａ）は同上の扉を引き出した状態の要部断面図であり、（ｂ）は扉を引き出して上方に回動している途中の状態の要部断面図である。
【図１１】は本発明の収納装置を形成した収納キャビネットと他の収納キャビネットとを組み合わせた例を示し、（ａ）は分解斜視図であり、（ｂ）は組み合わせた状態の斜視図である。
【符号の説明】
【００６６】
１  開口部
３  収納部
４  底板
６  扉
８  換気装置
２７  コンセント
３１  温度検知手段
３５  通気孔
３６  水受けトレイ
３７  開口
３８  板体
【図１】
2008036224.tif 000003
【図２】
2008036224.tif 000004
【図３】
2008036224.tif 000005
【図４】
2008036224.tif 000006
【図５】
2008036224.tif 000007
【図６】
2008036224.tif 000008
【図７】
2008036224.tif 000009
【図８】
2008036224.tif 000010
【図９】
2008036224.tif 000011
【図１０】
2008036224.tif 000012
【図１１】
2008036224.tif 000013